(57)【要約】【課題】弱い磁石を使用しても強力な固定力を得ることができる開閉戸止め具を提供する。【解決手段】開閉戸１に掛止め片５を前後動自在かつ上下動自在に取り付け、掛止め片５の前方部分に上方へ拡大させた拡大部７を設けて拡大部７に磁石９を設けている。壁等の固定側には係止片１０を取り付け、係止片１０には掛止め片５の拡大部７を挿入できる挿入穴１１及び挿入穴１１の奥側上方に拡大部７がはまる拡大穴１２を設けている。そして、拡大部７が挿入穴１１及び拡大穴１２にはまったときに拡大部７の磁石９に対向する位置において磁石９と吸着し合う磁石１４を設けている。係止片１０の方へ開閉戸１を近付けていくと、掛止め片５の拡大部７が係止片１０の挿入穴１１にはまる。磁石９が磁石１４に吸着され、拡大部７が上昇し拡大穴１２にはまって開閉戸１は固定される。開閉戸１の固定を解くには、プッシュボタン１６で掛止め片５を押し下げる。【選択図】    図２
2005061181.tif 000002
【特許請求の範囲】
【請求項１】
開閉戸（１）側に掛止め片（５）を前後動自在かつ上下動自在に取り付け、掛止め片（５）の前方部分に上方へ拡大させた拡大部（７）を設けて拡大部（７）には磁石（９）を設け、また壁・床・柱等の固定側には係止片（１０）を取り付け、係止片（１０）には掛止め片（５）の拡大部（７）に対応する位置に拡大部（７）を挿入できる挿入穴（１１）及び挿入穴（１１）の奥側上方に拡大部（７）がはまる拡大穴（１２）を設けて拡大穴（１２）の後方の縁を係止部（１３）とし、そして拡大部（７）が挿入穴（１１）及び拡大穴（１２）にはまったときに拡大部（７）の磁石（９）に対向する位置において磁石（９）と吸着し合う磁石（１４）を設けた開閉戸止め具。
【請求項２】
壁・床・柱等の固定側に掛止め片（５）を前後動自在かつ上下動自在に取り付け、掛止め片（５）の前方部分に上方へ拡大させた拡大部（７）を設けて拡大部（７）には磁石（９）を設け、また開閉戸（１）側には係止片（１０）を取り付け、係止片（１０）には掛止め片（５）の拡大部（７）に対応する位置に拡大部（７）を挿入できる挿入穴（１１）及び挿入穴（１１）の奥側上方に拡大部（７）がはまる拡大穴（１２）を設けて拡大穴（１２）の後方の縁を係止部（１３）とし、そして拡大部（７）が挿入穴（１１）及び拡大穴（１２）にはまったときに拡大部（７）の磁石（９）に対向する位置において磁石（９）と吸着し合う磁石（１４）を設けた開閉戸止め具。
【請求項３】
係止片（１０）の拡大穴（１２）の上方に上下に貫通する貫通穴（１５）をあけたことを特徴とする、請求項１又は２記載の開閉戸止め具。
【請求項４】
係止片（１０）の貫通穴（１５）にプッシュボタン（１６）をはめて取り付けたことを特徴とする、請求項３記載の開閉戸止め具。
【請求項５】
掛止め片（５）の拡大部（７）が係止片（１０）の挿入穴（１１）及び拡大穴（１２）にはまったときに拡大部（７）の磁石（９）に対向する位置において磁石（９）と吸着し合う磁石（１４）を設けたスライダー（２０）を係止片（１０）に対し前後動自在に取り付けたことを特徴とする、請求項１又は２記載の開閉戸止め具。
【発明の詳細な説明】
【技術分野】
【０００１】  本発明は、開閉戸を開状態又は閉状態で固定することのできる止め具に関するものである。
【背景技術】
【０００２】  開閉戸を開状態又は閉状態で固定することのできる止め具としては各種のものが開発され使用されている。磁石を利用すると簡単な機構で施工性も良く低コストになるということで、磁石式のものも発明された（例えば特許文献１参照）。このものは次のようなものである。すなわち、開閉戸の下端部に同一の磁極が下方を向くように二つの磁石を配置し、これらをリンク機構で連結して互いに上下方向逆向きに移動するように構成し、付勢手段により一方の磁石を下向きに付勢している。床側には開閉戸の軌跡上に二つの磁石を埋設し、一方の磁石は開閉戸側の一方の磁石に対して同一の磁極が対向し、かつ他方の磁石は開閉戸側の他方の磁石に対し異なる磁極が対向するように配置している。開閉戸が回転してそれらの磁石が床の二つの磁石上に来たとき、一方の磁石は反発力を受けて上方に移動し、他方の磁石は吸引されて下方に移動し床の磁石に密着することで開閉戸を固定する。
【特許文献１】特開２００２−３８８０２号公報
【発明の開示】
【発明が解決しようとする課題】
【０００３】  前記従来のものには次のような欠点がある。すなわち、リンク機構を利用し磁石も４個用いているため、構造は複雑で高価にも付く。時には強い風も吹く状況の中で磁石の吸着力だけで重い開閉戸を固定するようにしているため、強力な磁石を使用する必要もあって更に高価になる。本発明が解決しようとする課題は、弱い磁石を使用しても強力な固定力を得ることができる開閉戸止め具を提供する点にある。
【課題を解決するための手段】
【０００４】  請求項１に係る開閉戸止め具は、開閉戸１側に掛止め片５を前後動自在かつ上下動自在に取り付け、掛止め片５の前方部分に上方へ拡大させた拡大部７を設けて拡大部７には磁石９を設け、また壁・床・柱等の固定側には係止片１０を取り付け、係止片１０には掛止め片５の拡大部７に対応する位置に拡大部７を挿入できる挿入穴１１及び挿入穴１１の奥側上方に拡大部７がはまる拡大穴１２を設けて拡大穴１２の後方の縁を係止部１３とし、そして拡大部７が挿入穴１１及び拡大穴１２にはまったときに拡大部７の磁石９に対向する位置において磁石９と吸着し合う磁石１４を設けたものである。【０００５】  請求項２に係る開閉戸止め具は、壁・床・柱等の固定側に掛止め片５を前後動自在かつ上下動自在に取り付け、掛止め片５の前方部分に上方へ拡大させた拡大部７を設けて拡大部７には磁石９を設け、また開閉戸１側には係止片１０を取り付け、係止片１０には掛止め片５の拡大部７に対応する位置に拡大部７を挿入できる挿入穴１１及び挿入穴１１の奥側上方に拡大部７がはまる拡大穴１２を設けて拡大穴１２の後方の縁を係止部１３とし、そして拡大部７が挿入穴１１及び拡大穴１２にはまったときに拡大部７の磁石９に対向する位置において磁石９と吸着し合う磁石１４を設けたものである。【０００６】  請求項３に係る開閉戸止め具は、請求項１又は２記載のものにおいて、係止片１０の拡大穴１２の上方に上下に貫通する貫通穴１５をあけたことを特徴とするものである。請求項４に係る開閉戸止め具は、請求項３記載のものにおいて、係止片１０の貫通穴１５にプッシュボタン１６をはめて取り付けたことを特徴とするものである。請求項５に係る開閉戸止め具は、掛止め片５の拡大部７が係止片１０の挿入穴１１及び拡大穴１２にはまったときに拡大部７の磁石９に対向する位置において磁石９と吸着し合う磁石１４を設けたスライダー２０を係止片１０に対し前後動自在に取り付けたことを特徴とするものである。【０００７】  請求項１に係る開閉戸止め具の作動は次のとおりである。壁・床・柱等の固定側に取り付けた係止片１０の方へ開閉戸１を近付けていくと、開閉戸１に取り付けた掛止め片５の拡大部７が係止片１０の挿入穴１１にはまる。掛止め片５の磁石９の中心が係止片１０の磁石１４の中心と一致するところまで磁石９が磁石１４に吸引され、最後には磁石１４に吸着される。掛止め片５の拡大部７が上昇し、係止片１０の拡大穴１２にはまる。この状態では、拡大穴１２の後縁の係止部１３に拡大部７が係止され、開閉戸１は固定される。開閉戸１の固定を解くには、何らかのやり方で掛止め片５の拡大部７を下降させる。磁石９が磁石１４から外れ、そのまま開閉戸１を動かすと掛止め片５が係止片１０から抜け出し、開閉戸１はフリーとなる。請求項２に係るものの作動も同様である。請求項３に係るものにおいては、棒状のものを貫通穴１５に通して掛止め片５の拡大部７を押し下げ、掛止め片５の係止を解く。請求項４に係るものにおいては貫通穴１５のプッシュボタン１６を押し下げることで拡大部７による係止を解く。請求項５に係るものにおいては、スライダー２０を引いて掛止め片５の拡大部７の磁石９から磁石１４を引き離し、係止を解く。【０���０８】  本発明に係る開閉戸止め具は、回転式の開閉戸・引き戸式の開閉戸等に広く利用できる。回転式開閉戸のいわゆるドアストッパーとして利用することもできるし、各種開閉戸の錠・補助錠等としても利用できる。開閉戸１等にくぼみ２を設け、掛止め片５が障害になる場合は掛止め片５をくぼみ２内に収容できるようにしてもよい。
【発明の効果】
【０００９】  本発明に係る開閉戸止め具おいては、掛止め片５の拡大部７を係止片１０の係止部１３で係止させることで開閉戸１を固定させるようにしているため、強力な固定力を得ることができる。
【発明を実施するための最良の形態】
【００１０】  本発明を実施するための最良の形態を図１及び図２に基づいて説明する。開閉戸を開いた状態で固定するようにした、いわゆるドアストッパーとしての実施の形態である。図１及び図２は縦断面図であるが、左側に示した部材と右側に示した部材とは同じ位置で切断したものでなく互いに少し離れた位置で切断している。１は回転する開閉戸を示している。開閉戸１の左側面からほぼ方形としたくぼみ２を上下方向に設けている。くぼみ２の上方寄り位置においてくぼみ２の奥から更に奥へと水平溝３を設けている。そして、水平溝３の位置及び水平溝３の幅相当分だけ水平溝３より前方の部分からくぼみ２の上端までの位置において、くぼみ２及び水平溝３の左右を広げてＬ字形溝４を設けている。【００１１】  別体の掛止め片５を用意している。掛止め片５は、開閉戸１の水平溝３にちょうどはまる形状のものとした保持片６と、保持片６の前方に上方へと拡大して設けられ、くぼみ２にはまる大きさとしたブロック状の拡大部７とからなるものとしている。保持片６の後端部の左右にＬ字形溝４にちょうどはまる軸８を設け、それらの軸８をＬ字形溝４にはめることで開閉戸１に掛止め片５を取り付けている。拡大部７には前方から磁石９を埋め込んでいる。【００１２】  壁・床・柱等の固定側には、図１の左に示す係止片１０を取り付ける。係止片１０には掛止め片５に対応する位置において掛止め片５がちょうどはまる挿入穴１１を設け、挿入穴１１の奥上方には掛止め片５の拡大部７がちょうどはまる拡大穴１２を形成している。拡大穴１２の後端が係止部１３となる。そして、拡大穴１２に拡大部７がはまったときに拡大部７の磁石９が対向する位置に磁石９と吸着し合う磁石１４を埋め込んでいる。また、拡大穴１２へと貫通する貫通穴１５を上方からあけて、その穴にプッシュボタン１６をはめている。【００１３】  以上のものは次のようにして作動させる。図１は開閉戸１を開き終る直前の状態を示している。係止片１０のプッシュボタン１６は自重で下降している。開閉戸１を完全に開き終えると、掛止め片５の拡大部７が係止片１０の挿入穴１１にはまり込む。このとき拡大部７の磁石９の中心が係止片１０の磁石１４の中心と一致するところまで磁石９が磁石１４に吸引されることで、拡大部７が係止片１０の拡大穴１２へと導かれ図２に示す状態になる。掛止め片５の軸８は開閉戸１のＬ字形溝４の上端に達し、また掛止め片５の拡大部７がプッシュボタン１６を押し上げている。この状態では掛止め片５の拡大部７が係止部１３に係止されていることで、開閉戸１は開状態を維持する。【００１４】  開閉戸１を閉めるときは、プッシュボタン１６を押し下げる。プッシュボタン１６が掛止め片５を押し下げ、拡大部７の磁石９が係止片１０の磁石１４から外れて掛止め片５が落下する。開閉戸１を回転させると、掛止め片５が係止片１０から抜け出して下方へ回転し開閉戸１のくぼみ２内へ収まる。そして、そのまま開閉戸１を閉じていく。再び開閉戸１を開けるときは、くぼみ２内に指を入れて掛止め片５を水平にして押し込み、保持片６を開閉戸１の水平溝３に挿入する。その後の操作は前述のとおりである。
【実施例】
【００１５】  実施例を図３に基づいて説明する。方形の取付板１７を開閉戸１にねじ１８で取り付け、取付板１７にくぼみ２・Ｌ字形溝４を形成している。そして、掛止め片５を取付板１７に取り付けている。係止片１０にはプッシュボタン１６を設けず、また磁石１４は後方からあけた貫通穴１９内にはめたスライダー２０に埋め込んでいる。図３は開閉戸１を開いて止めた状態を示しているが、開閉戸１を閉めるにはスライダー２０を引けばよい。作動は図１・図２の説明から明らかである。
【図面の簡単な説明】
【００１６】
【図１】発明を実施するための最良の形態を示す縦断面図である。
【図２】図１に示したものの作動を示す縦断側面図である。
【図３】実施例を示す縦断面図である。
【符号の説明】
【００１７】  １    開閉戸            ５    掛止め片
７    拡大部            ９    磁石
１０    係止片          １１    挿入穴
１２    拡大穴          １３    係止部
１４    磁石            １５    貫通穴
１６    プッシュボタン  ２０    スライダー
【図１】
2005061181.tif 000003
【図２】
2005061181.tif 000004
【図３】
2005061181.tif 000005